(57)【要約】      （修正有）【課題】開口部から小動物が侵入した後に、開口部を戸体で閉鎖することで小動物を捕獲する捕獲器において、小動物侵入に伴う戸体の開口部閉鎖をスムーズにした小動物の捕獲器を提供する。【解決手段】捕獲器１の開口部２ａを開閉する戸体３と、戸体に係合して戸体を開口部の開放姿勢に維持する係合体６と、捕獲器内に上下動自在に取付けられる可動体５と、可動体と係合体とを連結する連結ワイヤ７とを備え、可動体の移動に伴い係合体が戸体との係合解除をすることで戸体が落下して開口部が閉鎖される小動物の捕獲器において、係合体は、先端部６ａが低く基端部６ｂが高い傾斜姿勢で戸体に係合するものであり、かつ、前記係合することで戸体の自重を受けて先端部側が下動し基端部側が上動しようとする力をそれぞれ筐体側に設けた第一、第二の受け体１５、１６で受け止めるよう構成した。【選択図】図１
0003186749.tif 000002
【実用新案登録請求の範囲】
【請求項１】
少なくとも一つの開口部が形成される中空の筐体と、
上下方向の移動に伴い該開口部を開閉するように設けられる板状の戸体と、
上方向に付勢された状態で前記筐体の底面に対して上下方向移動自在に支持され、下向きの負荷を受けることで付勢力に抗して下動する可動体と、
該可動体に一端が連結され、可動体の下動に連繋して移動する連結体と、
該連結体の移動に連繋して移動するよう連結体の他端が基端部に連結され、先端部が開放姿勢の戸体に係脱自在に係合して戸体を開放姿勢に維持する係合体とを備え、
前記可動体の下動に連動する係合体の移動に伴い該係合体先端部の戸体に対する係合を解除することで戸体が閉鎖姿勢へ自重落下して開口部を閉鎖するよう構成された小動物の捕獲器において、
前記係合体は、先端部が低く基端部が高い傾斜姿勢で戸体に係合しており、該係合することで戸体の自重を受けて先端部側が下動し基端部側が上動しようとする負荷がそれぞれ筐体側に設けた第一、第二の受け体で受け止められていることを特徴とする小動物の捕獲器。
【請求項２】
筐体は上面、底面、左右両側面、前後面を有した六面体で、前後面の少なくとも一方に開口部が形成されたものであり、係合体は、平面視したときに先端部が開口部上方の左右方向中央部に位置し、基端部が筐体の左右何れか一方の側面側に位置した傾斜状配置のものであり、連結体は、左右何れか一方の側面に沿う状態で係合体と可動体とを連結していることを特徴とする請求項１記載の小動物の捕獲器。
【請求項３】
筐体の上面には、平面視したときに先端部が開口部上方の左右方向中央部に位置し、基端部が筐体の左右何れか一方の側面側に位置する傾斜状で、かつ側面視したときに先端部が低く、基端部が高い傾斜状の支持体が設けられ、該支持体の先端側部位に係合体を上側で受け止め支持する第一の受け体が設けられ、基端側部位に係合体を下側で受け止め支持する第二の受け体が設けられていることを特徴とする請求項２記載の小動物の捕獲器。
【請求項４】
第一、第二の受け体はそれぞれ滑車で形成され、該第一の滑車は上側部位で係合体を受け、第二の滑車は下側部位で係合体を受けていることを特徴とする請求項１、２または３記載の小動物の捕獲器。
【請求項５】
支持体の基端には、連結体の方向を変換するため該連結体が懸回される第三の受け体が設けられていることを特徴とする請求項３または４記載の小動物の捕獲器。
【請求項６】
開口部は筐体の前後両面に設けられ、係合体、連結体は各開口部に対応して一対が設けられ、平面視したときに、一方の係合体は基端部が一方の側面側に位置するよう傾斜し、他方の係合体は基端部が他方の側面側に位置するよう傾斜しており、一方の連結体は一方の左右側面に沿い、他方の連結体は他方の左右側面に沿う状態で可動体の左右端部に連結されていることを特徴とする請求項２乃至５の何れか１記載の小動物の捕獲器。
【考案の詳細な説明】
【技術分野】
【０００１】
本考案は、主にハクビシンやキツネ、タヌキ、イタチ等の小動物を捕獲する小動物の捕獲器の技術分野に関するものである。
【背景技術】
【０００２】
従来より、ハクビシン等の小動物を捕獲するための捕獲器としては、例えば金網や鉄格子等からなる箱状の檻に開口部を形成し、該開口部から小動物が侵入した場合に開口部を戸体で塞いで小動物を檻内に閉じ込めて捕獲するよう構成されたものが知られている。このような捕獲器の中には、例えば特許文献１及び２に示されるように、捕獲器の開口部を開閉する戸体を開口部に対して上下スライド式に設けて、通常時は戸体を開口部の上側に係合保持して開口部を解放状態とし、開口部から動物が侵入した際には、該侵入した動物が捕獲器内部に設けた可動体に乗り上がったり触れたりすることで可動体が移動するよう構成し、該移動によって可動体と連動した連結部材が、戸体の開口部上部における係合保持された状態を解いて戸体を落下させ、これによって開口部が瞬間的に閉鎖されて動物を捕獲器内に閉じ込めるようにしたものが知られている。
【先行技術文献】
【特許文献】
【０００３】
【特許文献１】実用新案登録第３０８２９８４号公報
【特許文献２】特開２００１−２７５５４５号公報
【考案の概要】
【考案が解決しようとする課題】
【０００４】
これらのものにおいては、連結部材の末端に設けられる係合部材が開口部を開放している状態の戸体の下端部に係合することで戸体を開放姿勢に維持しているが、該係合部材は、垂直な開放姿勢をしている戸体に対して略水平の姿勢、つまり戸体とは略９０度の角度で係合していて戸体の重量全てを受け止めた状態となっている。このため、係合部材を無理移動して開放姿勢の戸体を閉鎖姿勢に落下させるためには、係合部材を、戸体の全重量を受けた状態で水平方向に引き抜き移動させる必要がある。しかしながら、侵入した動物の可動体を押す力が弱い場合には係合部材の前記無理移動ができず、この結果、戸体との係合がスムーズに解除されない惧れがある。
また、可動体の移動は動物の移動接触に起因して発生するが、動物は不規則に移動したり、躊躇するような動きをしたりすることがあるため、動物が接触することによって発生する可動体の移動も不規則、不安定なものとなり、可動体との連動によって発生する係合部材に対する引張り力も不規則、不安定となって係合部材の戸体からの係合解除がスムーズになされない惧れがある。
このように、係合部材と戸体との係合解除がスムーズになされない場合には、神経質な野生の動物に異常を察知されやすくなって折角檻内に侵入した動物が危険を感じて開口部が閉鎖される前に檻内から逃げ出してしまって動物を捕獲し損なうことにもなり、ここに解決すべき問題がある。
【課題を解決するための手段】
【０００５】
本考案は、上記の如き実情に鑑みこれらの課題を解決することを目的として創作されたものであって、請求項１の考案は、少なくとも一つの開口部が形成される中空の筐体と、上下方向の移動に伴い該開口部を開閉するように設けられる板状の戸体と、上方向に付勢された状態で前記筐体の底部に対して上下方向移動自在に支持され、下向きの負荷を受けることで付勢力に抗して下動する可動体と、該可動体に一端が連結され、可動体の下動に連繋して移動する連結体と、該連結体の移動に連繋して移動するよう連結体の他端が基端部に連結され、先端部が開放姿勢の戸体に係脱自在に係合して戸体を開放姿勢に維持する係合体とを備え、前記可動体の下動に連動する係合体の移動に伴い該係合体先端部の戸体に対する係合を解除することで戸体が閉鎖姿勢へ自重落下して開口部を閉鎖するよう構成された小動物の捕獲器において、前記係合体は、先端部が低く基端部が高い傾斜姿勢で戸体に係合しており、該係合することで戸体の自重を受けて先端部側が下動し基端部側が上動しようとする負荷がそれぞれ筐体側に設けた第一、第二の受け体で受け止められていることを特徴とする小動物の捕獲器である。
請求項２の考案は、筐体は上面、底面、左右両側面、前後面を有した六面体で、前後面の少なくとも一方に開口部が形成されたものであり、係合体は、平面視したときに先端部が開口部上方の左右方向中央部に位置し、基端部が筐体の左右何れか一方の側面側に位置した傾斜状配置のものであり、連結体は、左右何れか一方の側面に沿う状態で係合体と可動体とを連結していることを特徴とする請求項１記載の小動物の捕獲器である。
請求項３の考案は、筐体の上面には、平面視したときに先端部が開口部上方の左右方向中央部に位置し、基端部が筐体の左右何れか一方の側面側に位置する傾斜状で、かつ側面視したときに先端部が低く、基端部が高い傾斜状の支持体が設けられ、該支持体の先端側部位に係合体を上側で受け止め支持する第一の受け体が設けられ、基端側部位に係合体を下側で受け止め支持する第二の受け体が設けられていることを特徴とする請求項２記載の小動物の捕獲器である。
請求項４の考案は、第一、第二の受け体はそれぞれ滑車で形成され、該第一の滑車は上側部位で係合体を受け、第二の滑車は下側部位で係合体を受けていることを特徴とする請求項１、２または３記載の小動物の捕獲器である。
請求項５の考案は、支持体の基端には、連結体の方向を変換するため該連結体が懸回される第三の受け体が設けられていることを特徴とする請求項３または４記載の小動物の捕獲器である。
請求項６の考案は、開口部は筐体の前後両面に設けられ、係合体、連結体は各開口部に対応して一対が設けられ、平面視したときに、一方の係合体は基端部が一方の側面側に位置するよう傾斜し、他方の係合体は基端部が他方の側面側に位置するよう傾斜しており、一方の連結体は一方の左右側面に沿い、他方の連結体は他方の左右側面に沿う状態で可動体の左右端部に連結されていることを特徴とする請求項２乃至５の何れか１記載の小動物の捕獲器である。
【考案の効果】
【０００６】
請求項１の考案とすることにより、係合体は、戸体に対して先端部よりも基端部が高くなった傾斜状態で戸体の重量を受け止めることになるため、戸体の重量が係合体の傾斜面方向と傾斜面の垂直方向とに分解されることになって、係合体を水平状態にして垂直姿勢の戸体の重量を受け止める場合に比べて少ない引張り力で係合体を戸体の係合から解くことが出来る。従って、例えば捕獲器内に侵入した動物の可動体を動かす力が微弱であったり不安定であったりした場合でも、従来よりも少ない力で係合体を戸体から引き抜くことが出来ることになって、戸体と係合体との係合解除がスムーズになされるため、戸体の落下による開口部の閉鎖もスムーズとなり、これによって捕獲器内の動物の捕獲を確実に行うことが出来る。
請求項２の考案とすることにより、係合体と戸体との係合は開口部上方の左右方向中央部で行われて、係合体と戸体との係合が解除された場合には戸体がスムーズに落下するよう構成されたものでありながら、連結体は筐体の左右何れか一方の側面に沿った隅に配されることになって動物の邪魔になることが少なく、可動体の上部に空きスペースが生じることになって、筐体内に入り込んだ動物が可動体に乗り上がり易い捕獲器とすることが出来る。
請求項３の考案とすることにより、係合体および連結体は筐体の上面に設けられる支持体に支持された状態で設けられることになり、さらに係合体は、支持体に設けられた第一、第二の受け体によって先端部が低く基端部が高い傾斜姿勢に保持された状態で支持されることになって、戸体に係合しているときの係合体の傾斜姿勢を確実に保持させることが出来る。
請求項４の考案とすることにより、係合体は、先端側部位が第一の滑車の上側で受け止め支持され基端側部位が第二の滑車の下側で受け止め支持された状態で戸体に係合することになって、連結体の移動に連繋する係合体の移動がスムーズとなり、係合体先端部の戸体との係合解除をスムーズに行うことが出来る。
請求項５の考案とすることにより、可動体の下動に連動してなされる係合体の戸体からの係合解除をスムーズに行うことが出来る。
請求項６の考案とすることにより、開口部が筐体の前後両面に設けられる捕獲器でありながら、両開口部が可動体の下動によって同時にスムーズに閉鎖される捕獲器とすることが出来る。
【図面の簡単な説明】
【０００７】
【図１】開口部が開いた状態の小動物捕獲器の斜視図である。
【図２】筐体部の小動物捕獲器の正面断面図である。
【図３】開口部が閉じた状態の小動物捕獲器の平面図である。
【図４】開口部が開いた状態の小動物捕獲器の側面断面図である。
【図５】開口部が閉じた状態の小動物捕獲器の側面断面図である。
【図６】小動物の乗り上りによる可動体が下動した状態を示す説明図である。
【図７】（Ａ）、（Ｂ）、（Ｃ）は、それぞれ小動物が捕獲器に侵入した場合の係合体および戸体の動きを示す作用説明図である。
【考案を実施するための形態】
【０００８】
図面において、１は、本考案の実施の形態である小動物を捕獲するための捕獲器であるが、該捕獲器１は、侵入した小動物が捕獲される角筒状の筐体部２と、該筐体部２の両端部に形成される開口部２ａ、２ａを開閉するための上下スライド式の戸体３、３、筐体部２の床面（底面）２ｂに上下方向移動自在に取付けられ、コイルばね４により上方に向けて付勢される平板状の可動体５、前記戸体３、３に形成される係合孔３ａ、３ａに先端部６ａ、６ａが摺動自在に係合する棒状の係合体６、６、一端部７ａ、７ａが可動体に係止し、他端部７ｂ、７ｂが前記係合体６、６の基端部６ｂ、６ｂに係止する連結ワイヤ７、７、これら係合体６、６及び連結ワイヤ７、７で構成される該連結部（連結体）８、８を移動自在にガイドするガイド体（支持体）９、９を備えて構成されている。以下図面に基づいて詳述する。
【０００９】
筐体部２は、比較的目の粗い金網によって形成された角筒状の箱体であって、該筐体部２の前後方向両端面にはそれぞれ開口部２ａ、２ａが形成されている。筐体部２の床面２ｂと左右両側面２ｃ、２ｃとのコーナー部（左右下側角部）には、Ｌ字状に折曲形成された枠部材１１、１１が筐体部２の前後両端縁に至るまで設けられていて該コーナー部が変形しにくいよう補強されており、さらに該床面２ｂの前後方向中央部には、平板状の可動体支持板１２が左右方向端縁部を枠部材１１、１１に固定されて取付けられている。
【００１０】
戸体３は、上側縁部３ｂ及び下側縁部３ｃが前後方向外方に折曲形成された平板状の板材であり、左右両端縁３ｄ、３ｄが、筐体部２の上面よりも背高なガイド溝１０に上下方向摺動自在に係合することで開口部２ａを開放する開放姿勢と閉鎖する閉鎖姿勢とにスライド移動するようになっている。
戸体３に形成される係合孔３ａは、戸体３の左右方向中央部であって下側縁部３ｃに近接する部位に形成されており、該係合孔３ａに係合体６の先端部６ａが摺動自在に貫通するようになっている。そして、開放姿勢にスライド移動させた戸体３は、該係合孔３ａに係合体６の先端部６ａを貫通差し込みすることで前記開放姿勢に維持（保持）できるようになっており、該開放姿勢に維持される戸体３は、係合体６の先端部６ａが後述するように係合孔３ａから引き抜かれることにより自重落下して開口部３を閉鎖する閉鎖姿勢に移動するようになっている。
尚、係合孔３ａは、係合体６の先端部６ａが摺動自在に遊嵌する孔径に形成されている。
【００１１】
可動体支持板１２は、四隅に下面から上方向に貫通する状態でボルト１３が設けられており、該ボルト１３には、コイルばね４をあいだに介装する状態で可動体５が上下方向移動自在に支持されている。そして可動体５は、常時はコイルばね４の付勢力を受けて上方に持ち上げられた待機姿勢となっており、この待機姿勢で可動体５に動物が乗り上げる等して下向きの負荷が働くと、該可動体５はコイルばね４の付勢力に抗する状態で下動するようになっている。
また、可動体５の左右方向両端縁の前後方向中央部位には、それぞれ∩形状をした取付金具５ａ、５ａが設けられており、ここに連結ワイヤ７の一端部７ａが取付けられている。
【００１２】
筐体部２の開口部２ａの上端部には左右方向に長い補強板１４が設けられており、該補強板１４の左右方向中央部上面には、帯状の平板で形成されるガイド体９の一端部９ａが一体的に支持されているが、該ガイド体９は、筐体部２に対して左右方向外側に向けて傾斜しかつ上下方向上側に向けて傾斜した傾斜面部９ｂを備え、該傾斜面部９ｂの上端部は、平面視したときに前記可動体５に設けた取付金具５ａに対応する位置に位置するように設定されており、さらにガイド体９は、該傾斜面部９ｂの上端部から下方に向けて折曲した脚部９ｃが設けられ、該脚部９ｃの下端部が筐体部２の上面２ｄに固定されている。
【００１３】
前記ガイド体９の傾斜面部９ｂには、傾斜下端部、中間部、傾斜上端部にそれぞれ第一滑車１５、第二滑車１６、第三滑車１７が設けられているが、第三滑車１７には前記可動体５の取付金具５ａに一端が係止した連結ワイヤ７が懸回されている。そして該連結ワイヤ７の他端部７ｂは、第三滑車１７から第二滑車１６に至るあいだで馬蹄形をした連結金具１８に係止され、該連結金具１８には係合体６の基端部６ｂが連結されている。係合体６は、第二滑車１６の下側部位に支持され、第一滑車１５の上側部位に支持される状態で傾斜面部９ｂに沿って傾斜状に配され、先端部６ａが前述したように戸体係合孔３ａに貫通しており、これによって戸体３の自重を受ける係合体６は下方に下がろうとする負荷を受けるが、この負荷は第一滑車１５が上側で係合体６を支持することになって受け止められ、またこの受け止め支持により係合体６の第一滑車１５よりも傾斜上方側部位は上方に持ち上がろうとする負荷を受けるが、この負荷は第二滑車１６が下側で係合体６を支持することによって受け止められている。
【００１４】
尚、本実施の形態においては、このように第一滑車１５、第二滑車１６、第三滑車１７が設けられるガイド体９の一対が、前後各開口部２ａに対応して設けられており、これらガイド体９、９は、捕獲器１を平面視したときに、一方の係合体６は基端部６ｂが一方の側面２ｃに位置するように傾斜し、他方の係合体６は基端部６ｂが他方の側面２ｃに位置するように傾斜した状態で取り付けられるとともに、一方の連結ワイヤ７は一方の側面２ｃに沿い、他方の連結ワイヤ７は他方の側面２ｃに沿う状態で取付けられるようになっている。
尚、図中、１９は筐体部２の上面部に設けられる開閉蓋、２０は把手である。
【００１５】
叙述の如く構成された本考案の実施の形態において、戸体３の係合孔３ａに係合体６の先端部６ａが貫通して戸体３が開口部２ａを開放する開放姿勢となっている状態（図５（Ａ）の状態）から、餌Ｆにおびき寄せられて筐体部２に侵入した動物が可動体５の上に乗り上がると、可動体５がコイルばね４の付勢力に抗して下動することによって連結ワイヤ７が下方に引張られ、該連結ワイヤ７の下方への引張りが第三滑車１７によってガイド体９の傾斜面部９ｂの傾斜上方に向けての引張りに変換され、該変換された連結ワイヤ７の引張りによって係合体６は基端部６ｂ側から傾斜面部９ｂに沿って移動して、係合体６は傾斜姿勢のまま、先端部６ａが戸体３の係合孔３ａから引き抜かれる（図５（Ｂ）の状態）。
このようにして係合部６と戸体３との係合が解除されると、戸体３は自重によりガイド溝１０に沿って落下して筐体部２の開口部２ａを閉鎖する閉鎖姿勢に変姿し、動物が捕獲される（図５（Ｃ）の状態）。
【００１６】
このように、筐体部２に侵入した動物が可動体５を下動させることに連動して係合体６を引張ることで戸体３が閉鎖姿勢に変姿をして該侵入した動物の捕獲ができることになるが、この場合に、開放姿勢の戸体３との係合状態にある係合体６は、基端部６ｂが先端部６ａよりも高い傾斜姿勢となっているため、係合体６の先端部６ａに働く戸体３の負荷は、垂直方向の負荷に対して傾斜している分、低減されることになる。この結果、可動体５の係合体６を係合解除させるための下動負荷は小さいもので良いことになって捕獲感度が向上し、捕獲率が高いものにできる。
【００１７】
また、係合体６の戸体３との係合を開口部２ａの上方の左右方向中央部位として、係合体６の係合が解除された場合の戸体３の閉鎖姿勢への自重落下の左右バランスがよく保持されるようにしたものでありながら、係合体６は、基端部６ｂが筐体部２の左右何れか一方の側面２ｃに位置するよう平面視で左右方向に傾斜しているため、係合体基端部６ｂと可動体５とを連結する連結ワイヤ７を、筐体部２に侵入した動物の移動の邪魔になることが少ない筐体部２の側面に沿ったものにでき、この結果、筐体部２内に入り込んだ動物が可動体５の上面に乗り易い捕獲器とすることが出来る。
【００１８】
さらにこのものでは、筐体部２の上面に、平面視したときに先端部が開口部上方の左右方向中央部に位置し、基端部が筐体の左右何れか一方の側面側に位置する傾斜状で、かつ側面視したときに先端部が低く、基端部が高い傾斜状のガイド体９が設けられ、該ガイド体９の先端側部位に係合体６を下側で受け止め支持する第一滑車１５が設けられ、基端側部位に係合体６を上側で受け止め支持する第二滑車１６が設けられているため、係合体６は筐体部２の上面に設けられるガイド体９に支持された状態で設けられ、しかも該係合体６は、ガイド体９に設けられた第一、第二滑車１５，１６によって先端部が低く基端部が高い傾斜姿勢に保持された状態で支持されることになって、開放姿勢となった戸体３との係合姿勢を確実に保持させることが出来る。
【００１９】
さらにこのものでは、係合体６は、第一、第二滑車１５、１６で受けられているため、連結ワイヤ７の移動に連繋する係合体６の係合解除側への移動がスムーズとなって、係合体先端部６ａの戸体３との係合解除をスムーズに行うことが出来る。
【００２０】
さらには、ガイド体９の基端には、連結ワイヤ７の方向を変換するため該連結ワイヤ７が懸回される第三滑車１７が設けられていることにより、可動体５の下動に連動してなされる係合体６の戸体３からの係合解除をスムーズに行うことが出来、より捕獲感度が高くなる。
【００２１】
またさらにこのものでは、開口部２ａは筐体部２の前後両面に設けられ、係合体６、連結ワイヤ７は各開口部２ａに対応して一対が設けられ、平面視したときに、一方の係合体６は基端部６ｂが筐体部２の一方の側面側に位置するよう傾斜し、他方の係合体６は基端部６ｂが筐体部２の他方の側面側に位置するよう傾斜しており、そして一方の連結ワイヤ７は筐体部２の左右一方の側面に沿い、他方の連結ワイヤ７は筐体部２の左右他方の側面に沿う状態で可動体５の左右端部に連結されている。この結果、開口部２ａが筐体部２の前後両面に設けられていて動物の侵入の可能性が高くなる捕獲器１でありながら、両開口部２ａが可動体５の下動によって同時にスムーズに閉鎖される捕獲器とすることが出来る。
【００２２】
尚、本考案は、本実施の形態に限定されないことは勿論であって、捕獲器１の開口部２ａを一箇所のみとし、該開口部２ａを閉鎖する戸体３も１つ設けられたものとして、可動体５に連結する連結ワイヤ７、係合体６、及びこれらを支持するガイド体９も一組が設けられたものに構成しても良い。
また、係合体７の傾斜角度は適宜変更可能であって、捕獲器上面に対する傾斜角度が大きいほどより小さな力で係合体７を引き抜くことができることになって、このように設定した場合は、ハクビシンやキツネ等の小さな動物であっても捕獲することが出来る捕獲器とすることが出来る。
【産業上の利用可能性】
【００２３】
本考案は、ハクビシンやキツネ、タヌキ、イタチ等の小動物を捕獲する小動物の捕獲器の技術分野に利用可能である。
【符号の説明】
【００２４】
１    捕獲器
２    筐体部
２ａ  開口部
２ｂ  床面
３    戸体
５    可動体
６    係合体
６ａ  先端部
６ｂ  基端部
８    連結部
１５  第一滑車
１６  第二滑車
【図１】
0003186749.tif 000003
【図２】
0003186749.tif 000004
【図３】
0003186749.tif 000005
【図４】
0003186749.tif 000006
【図５】
0003186749.tif 000007
【図６】
0003186749.tif 000008
【図７】
0003186749.tif 000009